(57)【特許請求の範囲】
【請求項１】
底辺部及び立脚部を有する略Ｌ字形の弾性部材で構成されたキー押圧装置をケースに取付けるキー押圧装置の取付構造であって、
前記キー押圧装置の立脚部にヒンジを形成し、前記キー押圧装置の底辺部において前記立脚部を有する一辺に係合爪を形成し、前記ヒンジにはキーボタンを植立させて設け、さらに、前記底辺部において前記立脚部を有する一辺とは異なる側部にプリント基板受けを立設させ、一方、前記ケースに前記キー押圧装置の前記係合爪を受け入れる係合部と台座とストッパと前記キーボタンが挿入される孔とを設け、前記キーボタンを前記孔に挿入しつつ前記キー押圧装置の係合爪を前記ケースに設けた係合部に係合させ、かつ、前記キー押圧装置の底辺部において前記立脚部を有する一辺と対向する辺部が前記ストッパに固定されることにより取付を行なうことを特徴とするキー押圧装置の取付構造。
【請求項２】
前記ストッパ上部には、前記立脚部へ向かうにしたがって低くなるよう傾斜面が施されたことを特徴とする請求項１に記載のキー押圧装置の取付構造。
【発明の詳細な説明】
【０００１】
【発明の属する技術分野】
本発明は、無線機器例えば携帯電話機やＰＨＳ等におけるキー押圧装置の取付構造に関し、特にキー押圧装置がケースに設けられた台座に簡単に取付けられるよう構成したものである。
【０００２】
【従来の技術】
従来、無線機器例えば携帯電話機やＰＨＳ等におけるキー押圧装置は、図５及び図６に示されるような構成であった。すなわち、図５においてキー押圧装置54の取付け孔55が挿通されるボス52がケース51に立設されており、このボス52にキー押圧装置54の取付け孔55を挿通した後にこのボス52を熱溶着により取付け固定していた。
【０００３】
図６はキー押圧装置54の構成を示しており、装置全体が略Ｌ字形に形成されるとともにその立脚部56にヒンジ57が形成され、さらにこのヒンジ57の表面にキーボタン58が突出するように設けられている。したがってキー押圧操作はこのキーボタン58を押すことに連動してヒンジ57の一端が図示していないスイッチに当接してスイッチが動作するものである。
【０００４】
なお、ケース51はその下半分のみを示したものであり、これに載置される上半分のケースは省略され、さらにケース51には切り込み53が上記したキーボタン58が突出するように設けられている。
【０００５】
【発明が解決しようとする課題】
しかし、上記した従来の携帯無線機器のキー押圧装置の取付構造においては、キー押圧装置の取付け孔をケースのボスに挿通した後にボスを熱溶着しなければならず、取付けに際して熱溶着という面倒な工程を経なければならないという問題があった。
【０００６】
そこで本発明は、キー押圧装置がケースに設けられた台座に簡単に取付けられるよう構成したキー押圧装置の取付構造を提供することを目的とするものである。
【０００７】
【課題を解決するための手段】
上記のような課題を解決するために本発明のキー押圧装置の取付構造は、底辺部及び立脚部を有する略Ｌ字形の弾性部材で構成されたキー押圧装置をケースに取付けるキー押圧装置の取付構造であって、前記キー押圧装置の立脚部にヒンジを形成し、前記キー押圧装置の底辺部において前記立脚部を有する一辺に係合爪を形成し、前記ヒンジにはキーボタンを植立させて設け、さらに、前記底辺部において前記立脚部を有する一辺とは異なる側部にプリント基板受けを立設させ、一方、前記ケースに前記キー押圧装置の前記係合爪を受け入れる係合部と台座とストッパと前記キーボタンが挿入される孔とを設け、前記キーボタンを前記孔に挿入しつつ前記キー押圧装置の係合爪を前記ケースに設けた係合部に係合させ、かつ、前記キー押圧装置の底辺部において前記立脚部を有する一辺と対向する辺部が前記ストッパに固定されることにより取付を行なうことを特徴とする。
【０００８】
これにより、キー押圧装置がケースに設けられた台座に簡単に取付けられるという効果を有する。
【０００９】
【発明の実施の形態】
以下、本発明の実施の形態について、図面を用いて説明する。
【００１０】
図１は、本発明に係る無線機器例えば携帯電話機やＰＨＳ等のキー押圧装置の取付構成を示した斜視図である。図１においてキー押圧装置１は、略Ｌ字形の弾性部材で構成され、その立脚部３にヒンジ４が形成されるとともに、その底辺部に係合爪２が形成される。ヒンジ４にはキーボタンが設けられ、その裏面にはボスが植立されており、さらに、立脚部３に対向する位置にプリント基板（Ｐ板）受け５が立設されている。ここで、キーボタンと係合爪２との位置関係について説明すると、係合爪２が底辺部の中央に設けられるようしておき、それに対応してその中心がズレないようにしてキーボタンをヒンジ４に植立するのがよい。
【００１１】
一方、ケース７には、上記キーボタン挿入される孔８が設けられており、また、上記したキー押圧装置１を受け止める台座10及びストッパ11が立設され、さらに、上記した係合爪２を受け入れる係合部９が設けられている。ここで孔８と係合部９との位置関係について説明すると、孔８の中心部に係合部９が配置されるようにする。
【００１２】
なお、上記した説明では、キーボタン挿入される孔にキーボタンを挿入する例について説明したが、孔ではなく従来例のように切り欠きをケース７に設けておき、その切り欠きにキーボタンを挿入しても構わない。
【００１３】
図２は、図１のキー押圧装置１を別の面からみた斜視図である。図２においては、キーボタン12がヒンジ４に植立されているのが理解できるであろう。それ以外の構成は、図１において説明したとおりであるので説明を省略する。
【００１４】
図３は、本発明に係る無線機器例えば携帯電話機やＰＨＳ等のキー押圧装置の取付構成の動作を説明する断面図である。図３においてキー押圧装置１の係合爪２がケース７の係合部に係合される直前を示しており、この時、キーボタン12もケース７の孔８に納まりかかっている様子が読み取れるであろう。その後、キー押圧装置１のプリント基板受け５の下辺がストッパ11の傾斜部13を滑り落ちるようにして台座10に固定される。なお、ケース７に係合されるカバー14も一部図示されている。
【００１５】
図４は、取付けが完了した本発明に係る無線機器例えば携帯電話機やＰＨＳ等のキー押圧装置の取付構成を示した断面図である。図４においてキー押圧装置１は係合が完了しており、台座10に完全に載置された状態となっており、そこにプリント基板15がプリント基板受け５に載置されている。また関連部材17に取付けられているスイッチ部材16がキー押圧装置１の裏面に設けられた押圧部６と対峙するようにされる。
【００１６】
図４においてキー押圧装置１のキーボタン12が押圧されると、キー押圧装置１のヒンジによりキー押圧装置１の裏面に設けられた押圧部６がスイッチ部材16を押すことによりスイッチ動作が行なわれる。この時、キー押圧装置１は台座10に完全に載置されているので、キーボタン12の押圧に対してストッパ11が機能して位置ずれを起こすことはなく、またこれにより十分なヒンジ特性を引き出すことができる。なお、キーボタン12が押圧されない場合には、ヒンジ特性はケース７の外側に向かうようにされており、したがって製品の運搬時にガタ付くこともなく、かつビビリ音も発生しない。
【００１７】
なお、係合爪２は底辺部の中央、係合部９は孔８の中央としたが、両者の関係が合えば中央でなくても実現できる。
【００１８】
また、本発明は、係合爪２と係合部９の金型嵌合調整によりキーボタン12と孔８のズレを容易に修正し、隙間を均一にでき、外観を向上できるという効果がある。
【００１９】
【発明の効果】
以上の説明から明らかなように、本発明のキー押圧装置の取付構造は、底辺部及び立脚部を有する略Ｌ字形の弾性部材で構成されたキー押圧装置をケースに取付けるキー押圧装置の取付構造であって、前記キー押圧装置の立脚部にヒンジを形成し、前記キー押圧装置の底辺部において前記立脚部を有する一辺に係合爪を形成し、前記ヒンジにはキーボタンを植立させて設け、さらに、前記底辺部において前記立脚部を有する一辺とは異なる側部にプリント基板受けを立設させ、一方、前記ケースに前記キー押圧装置の前記係合爪を受け入れる係合部と台座とストッパと前記キーボタンが挿入される孔とを設け、前記キーボタンを前記孔に挿入しつつ前記キー押圧装置の係合爪を前記ケースに設けた係合部に係合させ、かつ、前記キー押圧装置の底辺部において前記立脚部を有する一辺と対向する辺部が前記ストッパに固定されることにより取付を行なうようにしたものであり、キー押圧装置がケースに設けられた台座に簡単に取付けられるという効果を有する。
【図面の簡単な説明】
【図１】本発明に係る無線機器例えば携帯電話機やＰＨＳ等のキー押圧装置の取付構成を示した斜視図、
【図２】図１の本発明に係るキー押圧装置を別の面からみた斜視図、
【図３】本発明に係る無線機器例えば携帯電話機やＰＨＳ等のキー押圧装置の取付構成の動作を説明する断面図、
【図４】取付けが完了した本発明に係る無線機器例えば携帯電話機やＰＨＳ等のキー押圧装置の取付構成を示した断面図、
【図５】従来のキー押圧装置の取付構成を示した斜視図、
【図６】図５の従来のキー押圧装置を別の面からみた斜視図である。
【符号の説明】
１、54  キー押圧装置
２  係合爪
３、56  立脚部
４、57  ヒンジ
５、15  ケース
６  押圧部
７、51  ケース
８  孔
９  係合部
10  台座
11  ストッパ
12、58  キーボタン
13  傾斜部
14  カバー
15  プリント基板
16  スイッチ部材
17  関連部材
53  切り込み
55  取付け孔
【図１】
0003717319.tif 000002
【図２】
0003717319.tif 000003
【図３】
0003717319.tif 000004
【図４】
0003717319.tif 000005
【図５】
0003717319.tif 000006
【図６】
0003717319.tif 000007